(57)【要約】【課題】オス端子挿入方向及びオス端子の周方向の微摺動を抑制可能なコネクタを提供する。【解決手段】本発明のコネクタ１Ａは、第１接点部１２を有するオス端子１０Ａと、このオス端子１０Ａを収容し、オス端子１０Ａが挿入される際に第１接点部１２と摺動しかつ電気的に接続される第２接点部２２を有するメス端子２０Ａとを備えたコネクタ１Ａであって、第１接点部１２の表面に第１元素からなる第１表面処理層１５が形成され、第２接点部２２の表面に第２元素からなる第２表面処理層２５が形成され、前記第１元素と前記第２元素とは相互溶解度が１質量％以上になる組み合わせである。【選択図】図１
2017027714.tif 000002
【特許請求の範囲】
【請求項１】
第１接点部を有するオス端子と、このオス端子を収容し、前記オス端子が挿入される際に前記第１接点部と摺動しかつ電気的に接続される第２接点部を有するメス端子とを備えたコネクタであって、
前記第１接点部の表面に第１元素からなる第１表面処理層が形成され、
前記第２接点部の表面に第２元素からなる第２表面処理層が形成され、
前記第１元素と前記第２元素とは相互溶解度が１質量％以上になる組み合わせであることを特徴とするコネクタ。
【請求項２】
前記第１接点部は、前記オス端子のオス端子本体の幅広平坦部の少なくとも一部に形成され、
前記第２接点部は、メス端子本体から突出した突出部の少なくとも一部に形成されることを特徴とする請求項１に記載のコネクタ。
【請求項３】
前記第１接点部は、前記メス端子への挿入方向に沿って前記オス端子のオス端子本体の表面に形成された溝部の少なくとも一部に形成され、
前記第２接点部は、前記溝部と嵌合するように前記メス端子のメス端子本体から突出した嵌合突出部の少なくとも一部に形成されることを特徴とする請求項１又は２に記載のコネクタ。
【発明の詳細な説明】
【技術分野】
【０００１】
本発明は、オス端子とメス端子の凝着によりオス端子挿入方向及びオス端子の周方向の微摺動を抑制可能なコネクタに関する。
【背景技術】
【０００２】
従来、電線に接続されるオス端子と、電線に接続され、前記オス端子が挿入されるメス端子と、を備えたコネクタは、自動車のワイヤーハーネス用途に多く用いられている。例えば、特許文献１には、オス端子とメス端子とを備え、オス端子の接点部及びメス端子の弾性接触片の接点部にＡｇ層が形成され、オス端子の滑り部にＡｇよりも硬くかつＡｇとの相互溶解度が０．１％以下の相互溶解性が低い金属層が形成されたコネクタが記載されている。しかし、このコネクタは、微摺動を抑制する形状になっていないため、オス端子とメス端子との間に微摺動が生じやすい。
【０００３】
また、特許文献２には、微摺動を抑制する構造として、基板のスルーホールにプレスフィット端子が圧入状態で挿入されてなるプレスフィット端子と基板の接続構造が記載されている。この接続構造は、プレスフィット端子の少なくとも一部に端子めっき層が設けられ、端子めっき層とスルーホールめっき層の金属に相互溶解度の高い組み合わせを選択したものである。特許文献２に記載された接続構造によれば、スルーホールとプレスフィット端子の界面で金属凝着が生じ、プレスフィット端子の保持力が高い。
【先行技術文献】
【特許文献】
【０００４】
【特許文献１】特開２０１３−２０６６９５号公報
【特許文献２】特開２００７−１２２９５２号公報
【発明の概要】
【発明が解決しようとする課題】
【０００５】
しかしながら、特許文献２に記載されたプレスフィット端子の接続構造は、プレスフィット端子がスルーホール中で周方向に回転する、すなわちオス端子の周方向の微摺動が生じるおそれがある。また、特許文献２に記載された接続構造は、端子の一方が基板のスルーホールであるため、電線同士を接続する自動車用途のコネクタに適した構造でない。
【０００６】
このため、従来、オス端子挿入方向及びオス端子の周方向の微摺動を抑制可能なコネクタは知られていなかった。
【０００７】
本発明は、上記事情に鑑みてなされたものであり、オス端子挿入方向及びオス端子の周方向の微摺動を抑制可能なコネクタを提供することを目的とする。
【課題を解決するための手段】
【０００８】
本発明の第１の態様に係るコネクタは、第１接点部を有するオス端子と、このオス端子を収容し、前記オス端子が挿入される際に前記第１接点部と摺動しかつ電気的に接続される第２接点部を有するメス端子とを備えたコネクタであって、前記第１接点部の表面に第１元素からなる第１表面処理層が形成され、前記第２接点部の表面に第２元素からなる第２表面処理層が形成され、前記第１元素と前記第２元素とは相互溶解度が１質量％以上になる組み合わせであることを特徴とする。
【０００９】
本発明の第２の態様に係るコネクタは、前記第１接点部は、前記オス端子のオス端子本体の幅広平坦部の少なくとも一部に形成され、前記第２接点部は、メス端子本体から突出した突出部の少なくとも一部に形成されることを特徴とする。
【００１０】
本発明の第３の態様に係るコネクタは、前記第１接点部は、前記メス端子への挿入方向に沿って前記オス端子のオス端子本体の表面に形成された溝部の少なくとも一部に形成され、前記第２接点部は、前記溝部と嵌合するように前記メス端子のメス端子本体から突出した嵌合突出部の少なくとも一部に形成されることを特徴とする。
【発明の効果】
【００１１】
本発明に係るコネクタによれば、オス端子挿入方向及びオス端子の周方向の微摺動を抑制することができる。
【図面の簡単な説明】
【００１２】
【図１】第１の実施形態に係るコネクタの断面図である。
【図２】第１の実施形態に係るコネクタのオス端子の挿入前の状態を示す断面図である。
【図３】図１のＡ−Ａ線に沿った横断面図である。
【図４】元素Ａ−元素Ｂ間の相互溶解度の度合いを示す表である。
【図５】第２の実施形態に係るコネクタの断面図である。
【図６】第２の実施形態に係るコネクタのオス端子の挿入前の状態を示す断面図である。
【図７】図５のＢ−Ｂ線に沿った横断面図である。
【発明を実施するための形態】
【００１３】
以下、本実施形態のコネクタについて具体的に説明する。
【００１４】
［第１の実施形態］
第１の実施形態に係るコネクタについて説明する。図１は、第１の実施形態に係るコネクタの断面図である。図２は、第１の実施形態に係るコネクタのオス端子の挿入前の状態を示す断面図である。図３は、図１のＡ−Ａ線に沿った横断面図である。
【００１５】
図１及び２に示すように、コネクタ１Ａ（１）は、第１接点部１２を有する平板状のオス端子１０Ａ（１０）と、このオス端子１０Ａを収容し、前記オス端子１０Ａが挿入される際に前記第１接点部１２と摺動しかつ電気的に接続される第２接点部２２を有するメス端子２０Ａ（２０）とを備える。
【００１６】
（オス端子）
オス端子１０Ａでは、第１接点部１２がオス端子本体１１の幅広平坦部１７の少なくとも一部に形成される。ここで第１接点部１２とは、オス端子本体１１のうち、メス端子２０Ａへの挿脱時にメス端子２０Ａの第２接点部２２と摺動する部分を意味する。図１〜３に示すように、オス端子１０Ａでは、第１接点部１２が、オス端子本体１１の幅広平坦部１７の全面に形成される。しかし、第１接点部１２は、幅広平坦部１７の一部のみに形成されていてもよい。
【００１７】
オス端子１０Ａでは、オス端子本体１１の図１中の上下方向にある２つの幅広平坦部１７のそれぞれに第１接点部１２が形成される。オス端子１０Ａの第１接点部１２の表面の少なくとも一部には、第１元素からなる第１表面処理層１５が形成される。図１〜３に示すように、オス端子１０Ａでは、第１表面処理層１５が、第１接点部１２の全面に形成される。しかし、第１表面処理層１５は、第１接点部１２の一部のみに形成されていてもよい。
【００１８】
図３に示すように、図１のＡ−Ａ線に沿ったオス端子１０Ａの横断面は、略矩形状になっている。オス端子１０Ａの上下両面には、第１元素からなる第１表面処理層１５が形成される。
【００１９】
第１元素としては、Ｉｎ、Ｐｂ、Ｃ、Ｓｎ、Ｃｄ、Ｍｇ、Ｚｎ、Ａｌ、Ａｇ、Ａｕ、Ｃｕ、Ｓｉ、Ｔｉ、Ｚｒ、Ｐｔ、Ｎｂ、Ｆｅ、Ｎｉ、Ｃｏ、Ｃｒ、Ｍｏ又はＷが用いられる。なお、Ｃは金属元素ではないが、便宜上、第１元素に含める。
【００２０】
（メス端子）
メス端子２０Ａでは、第２接点部２２が、メス端子本体２１から、収容されるオス端子１０Ａ側に突出した突出部２７の少なくとも一部に形成される。ここで、突出部２７とは、オス端子１０Ａの第１接点部１２と摺動するために、メス端子本体２１から、挿入されたオス端子１０Ａ側に突出した部分を意味する。また、第２接点部２２とは、メス端子本体２１のうち、オス端子１０Ａの挿脱時にオス端子１０Ａの第１接点部１２と摺動する部分を意味する。図１〜３に示すように、メス端子２０Ａでは、第２接点部２２が、メス端子本体２１（２１Ａ１、２１Ａ２）の突出部２７の全面に形成される。しかし、第２接点部２２は、突出部２７の一部のみに形成されていてもよい。
【００２１】
メス端子２０Ａは、挿入されたオス端子１０Ａの第１接点部１２と電気的に接続しつつオス端子１０Ａを収容可能になっている。このため、メス端子２０Ａの第２接点部２２は、オス端子１０Ａの２つの第１接点部１２と摺動可能なように２か所設けられている。
【００２２】
メス端子２０Ａの第２接点部２２の表面の少なくとも一部には、第２元素からなる第２表面処理層２５が形成される。図１〜３に示すように、メス端子２０Ａでは、第２表面処理層２５が、第２接点部２２の全面に形成される。しかし、第２表面処理層２５は、第２接点部２２の一部のみに形成されていてもよい。
【００２３】
図３に示すように、図１のＡ−Ａ線に沿ったメス端子２０Ａの横断面は、略矩形状になっている。メス端子２０Ａの表面のうち、オス端子１０Ａの２つの第１表面処理層１５に対向する面には、２つの第２元素からなる第２表面処理層２５が形成される。
【００２４】
第２元素としては、第１元素と同様の、Ｉｎ、Ｐｂ、Ｃ、Ｓｎ、Ｃｄ、Ｍｇ、Ｚｎ、Ａｌ、Ａｇ、Ａｕ、Ｃｕ、Ｓｉ、Ｔｉ、Ｚｒ、Ｐｔ、Ｎｂ、Ｆｅ、Ｎｉ、Ｃｏ、Ｃｒ、Ｍｏ又はＷが用いられる。
【００２５】
（第１元素と第２元素との組み合わせ）
オス端子１０Ａの第１表面処理層１５を構成する第１元素と、メス端子２０Ａの第２表面処理層２５を構成する第２元素とは、相互溶解度が１質量％以上になる組み合わせとする。ここで、相互溶解度とは、２つの液体物質が互いに飽和して２液相が平衡を保っているとき、各液相におけるもう一つの成分の液体の溶解度を意味する。第１元素と第２元素との相互溶解度が１質量％以上であると、第１表面処理層１５と第２表面処理層２５とが凝着する。これにより、オス端子１０Ａとメス端子２０Ａとのオス端子挿入方向及びオス端子の周方向の微摺動を抑制することができる。
【００２６】
図４に、第１元素と第２元素との組み合わせと、相互溶解度との関係を示す。図４中、○は相互溶解度が１００質量％、△は相互溶解度が１質量％以上１００質量％未満、■は相互溶解度が０．１質量％以上１質量％未満、▲は相互溶解度が０質量％を超え０．１質量％未満、●は相互溶解度が０質量％となる組み合わせである。
【００２７】
第１元素と第２元素との組み合わせは、図４中の○及び△の組み合わせであることが好ましい。図４は、元素Ａ−元素Ｂ間の相互溶解度の度合いを示す表である。図４に示す元素Ａと元素Ｂとの組み合わせ（元素Ａ−元素Ｂ）を第１の実施形態に係るコネクタ１Ａに適用する場合、オス端子１０Ａの第１表面処理層１５の第１元素を元素Ａとしメス端子２０Ａの第２表面処理層２５の第２元素を元素Ｂとする組み合わせ、又は上記第１元素を元素Ｂとし上記第２元素を元素Ａとする組み合わせ、として適用する。
【００２８】
図４に示されるように相互溶解度が１００質量％の組み合わせ（○）は、元素Ａと元素Ｂとが同一元素の組み合わせである。また、相互溶解度が１質量％以上１００質量％未満の組み合わせ（△）は、Ｉｎ、Ｐｂ、Ｃ、Ｓｎ、Ｃｄ、Ｍｇ、Ｚｎ、Ａｌ、Ａｇ、Ａｕ、Ｃｕ、Ｓｉ、Ｔｉ、Ｚｒ、Ｐｔ、Ｎｂ、Ｆｅ、Ｎｉ、Ｃｏ、Ｃｒ、Ｍｏ又はＷと、図４に△で示される特定の金属元素との組み合わせである。
【００２９】
図４に示されるように、相互溶解度が１質量％以上１００質量％未満の元素Ａと元素Ｂとの組み合わせ（元素Ａ−元素Ｂ）としては、たとえば、（Ａｇ−Ｓｎ）、（Ａｇ−Ｉｎ）が挙げられる。組み合わせ（元素Ａ−元素Ｂ）が（Ａｇ−Ｓｎ）の場合、コネクタ１Ａでは、オス端子１０Ａの第１表面処理層１５の第１元素をＡｇかつメス端子２０Ａの第２表面処理層２５の第２元素をＳｎとする組み合わせ、又は上記第１元素をＳｎかつ上記第２元素をＡｇとする組み合わせとする。
【００３０】
（作用）
コネクタ１Ａの作用について説明する。はじめに、図２に示すように、コネクタ１Ａのオス端子１０Ａとメス端子２０Ａとが接続されていない状態から、オス端子１０Ａを図２中の符号Ｘの方向に移動させてメス端子２０Ａ内に挿入する。オス端子１０Ａがメス端子２０Ａ内に挿入されると、オス端子１０Ａの第１接点部１２の第１表面処理層１５が、メス端子２０Ａの第２接点部２２の第２表面処理層２５に対して摺動する。第１表面処理層１５を構成する第１元素と第２表面処理層２５を構成する第２元素とは相互溶解度が１質量％以上の組み合わせであるため、上記摺動により、第１表面処理層１５と第２表面処理層２５とが凝着する。このようにオス端子１０Ａとメス端子２０Ａとが凝着するため、コネクタ１Ａによればオス端子挿入方向及びオス端子の周方向の微摺動を抑制することができる。
【００３１】
（効果）
コネクタ１Ａによれば、オス端子挿入方向及びオス端子の周方向の微摺動を抑制することができる。
【００３２】
［第２の実施形態］
第２の実施形態に係るコネクタについて説明する。図５は、第２の実施形態に係るコネクタの断面図である。図６は、第２の実施形態に係るコネクタのオス端子の挿入前の状態を示す断面図である。図７は、図４のＢ−Ｂ線に沿った横断面図である。
【００３３】
図５及び６に示すように、コネクタ１Ｂ（１）は、第１接点部１２を有するオス端子１０Ｂ（１０）と、このオス端子１０Ｂを収容し、前記オス端子１０Ｂが挿入される際に前記第１接点部１２と摺動しかつ電気的に接続される第２接点部２２を有するメス端子２０Ｂ（２０）とを備える。
【００３４】
第２の実施形態に係るコネクタ１Ｂは、第１の実施形態に係るコネクタ１Ａのオス端子１０Ａ及びメス端子２０Ａに代えて、オス端子１０Ｂ及びメス端子２０Ｂを用いたものである。具体的には、コネクタ１Ｂは、オス端子として、溝部１４を有するオス端子１０Ｂを用いる。また、コネクタ１Ｂは、メス端子として、オス端子１０Ｂの溝部１４と嵌合する嵌合突出部２８を有するメス端子２０Ｂを用いる。第２の実施形態に係るコネクタ１Ｂにおいて、第１の実施形態に係るコネクタ１Ａと同一の部材には同一の符号を付し、部材及び作用の説明を省略又は簡略化する。
【００３５】
（オス端子）
オス端子１０Ｂでは、第１の実施形態に係るコネクタ１Ａのオス端子１０Ａと同様に、第１接点部１２がオス端子本体１１の幅広平坦部１７の少なくとも一部に形成される。オス端子１０Ｂでは、オス端子本体１１の図５中の上側方向にある１つの幅広平坦部１７に第１接点部１２が形成される。図５〜７に示すように、オス端子１０Ｂでは、第１接点部１２が、オス端子本体１１の図５中の上側方向にある１つの幅広平坦部１７の全面に形成される。しかし、第１接点部１２は、幅広平坦部１７の一部のみに形成されていてもよい。
【００３６】
また、オス端子１０Ｂのうち図５中の下側方向にある他の幅広平坦部１７には、メス端子２０Ｂへの挿入方向に沿ってオス端子１０Ｂのオス端子本体１１の表面に形成された溝部１４の少なくとも一部に、第１接点部１６が形成される。図５〜７に示すように、オス端子１０Ｂでは、第１接点部１６が、溝部１４と幅広平坦部１７とを含む領域の全面に形成される。しかし、第１接点部１６は、溝部１４の少なくとも一部に形成されていればよく、溝部１４の全体や幅広平坦部１７に形成されることは必須ではない。図５〜７に示すように、オス端子１０Ｂでは、溝部１４の横断面形状が、半円状になっている。しかし、溝部１４の横断面形状は特に限定されるものでなく、矩形状、三角状等の他の形状であってもよい。
【００３７】
このように、オス端子１０Ｂは、一方の幅広平坦部１７に第１接点部１２を有し、他方の幅広平坦部１７に第１接点部１６を有するため、２種類の第１接点部を有する。第１接点部１６は、オス端子本体１１のうち、メス端子２０Ｂへの挿脱時にメス端子２０Ｂの第２接点部２６と摺動する部分である。第１接点部１６は第１接点部１２と同様の作用を有する。
【００３８】
また、オス端子１０Ｂでは、第１の実施形態に係るコネクタ１Ａのオス端子１０Ａと同様に、オス端子１０Ｂの第１接点部１２の表面の少なくとも一部に、第１元素からなる第１表面処理層１５が形成される。図５〜７に示すように、オス端子１０Ｂでは、第１接点部１２の表面に形成される第１表面処理層１５が、第１接点部１２の全面に形成される。しかし、第１表面処理層１５は、第１接点部１２の一部のみに形成されていてもよい。
【００３９】
さらに、オス端子１０Ｂでは、オス端子１０Ｂの第１接点部１６の表面の少なくとも一部に、第１元素からなる第１表面処理層１５が形成される。図５〜７に示すように、オス端子１０Ｂでは、第１接点部１６の表面に形成される第１表面処理層１５が、第１接点部１６の全面に形成される。しかし、第１接点部１６の表面に形成される第１表面処理層１５は、第１接点部１６の一部のみに形成されていてもよい。
【００４０】
オス端子１０Ｂの第１表面処理層１５を構成する第１元素は、第１の実施形態に係るコネクタ１Ａのオス端子１０Ａと同じであるため、説明を省略する。
【００４１】
（メス端子）
メス端子２０Ｂでは、第１の実施形態に係るコネクタ１Ａのメス端子２０Ａと同様に、第２接点部２２が、メス端子本体２１から、収容されるオス端子１０Ｂ側に突出した突出部２７の少なくとも一部に形成される。メス端子２０Ｂでは、メス端子本体２１（２１Ｂ１、２１Ｂ２）のうち、図５中の上側方向にある１つのメス端子本体２１Ｂ１に第２接点部２２が形成される。図５〜７に示すように、メス端子２０Ｂでは、第２接点部２２が、メス端子本体２１Ｂ１の突出部２７の全面に形成される。しかし、第２接点部２２は、突出部２７の一部のみに形成されていてもよい。
【００４２】
また、メス端子２０Ｂのうち図５中の下側方向にある他のメス端子本体２１（２１Ｂ２）には、オス端子１０Ｂの溝部１４と嵌合するようにメス端子２０Ｂのメス端子本体２１Ｂ２から突出した嵌合突出部２８の少なくとも一部に、第２接点部２６が形成される。ここで、嵌合突出部２８とは、オス端子１０Ｂの溝部１４と嵌合するとともにオス端子１０Ｂの第１接点部１６と摺動するために、メス端子本体２１から、挿入されたオス端子１０Ｂ側に突出した部分を意味する。図５〜７に示すように、オス端子１０Ｂでは、第２接点部２６が、嵌合突出部２８の全面に形成される。しかし、第２接点部２６は、少なくとも嵌合突出部２８のうちオス端子１０Ｂの溝部１４と嵌合する部分に形成されていればよい。第２接点部２６の横断面形状は、オス端子１０Ｂの溝部１４と嵌合する形状である限り特に限定されない。
【００４３】
このように、メス端子２０Ｂは、一方のメス端子本体２１（２１Ｂ１）に第２接点部２２を有し、他方のメス端子本体２１（２１Ｂ２）に第２接点部２６を有するため、２種類の第２接点部を有する。第２接点部２６は、メス端子本体２１のうち、オス端子１０Ｂの挿脱時にオス端子１０Ｂの第１接点部１６と摺動する部分である。第２接点部２６は第２接点部２２と同様の作用を有する。
【００４４】
また、メス端子２０Ｂでは、第１の実施形態に係るコネクタ１Ａのメス端子２０Ａと同様に、メス端子２０Ｂの第２接点部２２の表面の少なくとも一部に、第２元素からなる第２表面処理層２５が形成される。図５〜７に示すように、メス端子２０Ｂでは、第２接点部２２の表面に形成される第２表面処理層２５が、第２接点部２２の全面に形成される。しかし、第２接点部２２の表面に形成される第２表面処理層２５は、第２接点部２２の一部のみに形成されていてもよい。
【００４５】
さらに、メス端子２０Ｂでは、メス端子２０Ｂの第２接点部２６の表面の少なくとも一部に、第２元素からなる第２表面処理層２５が形成される。図５〜７に示すように、メス端子２０Ｂでは、第２接点部２６の表面に形成される第２表面処理層２５が、第２接点部２６の全面に形成される。しかし、第２表面処理層２５は、第２接点部２６の一部のみに形成されていてもよい。
【００４６】
メス端子２０Ｂの第２表面処理層２５を構成する第２元素は、第１の実施形態に係るコネクタ１Ａのメス端子２０Ａと同じであるため、説明を省略する。
【００４７】
（第１元素と第２元素との組み合わせ）
オス端子１０Ｂの第１表面処理層１５を構成する第１元素と、メス端子２０Ｂの第２表面処理層２５を構成する第２元素とは、第１の実施形態に係るコネクタ１Ａと同様に、相互溶解度が１質量％以上になる組み合わせになっている。第１元素と第２元素との組み合わせは、第１の実施形態に係るコネクタ１Ａにおける第１元素と第２元素との組み合わせと同様であるため、説明を省略する。
【００４８】
（作用）
コネクタ１Ｂの作用について説明する。はじめに、図６に示すように、コネクタ１Ｂのオス端子１０Ｂとメス端子２０Ｂとが接続されていない状態から、オス端子１０Ｂを図６中の符号Ｘの方向に移動させてメス端子２０Ｂ内に挿入する。オス端子１０Ｂがメス端子２０Ｂ内に挿入されると、オス端子１０Ｂの第１接点部１２の第１表面処理層１５が、メス端子２０Ａの第２接点部２２の第２表面処理層２５に対して摺動し、オス端子１０Ｂの第１接点部１６の第１表面処理層１５が、メス端子２０Ａの第２接点部２６の第２表面処理層２５に対して摺動する。第１表面処理層１５を構成する第１元素と第２表面処理層２５を構成する第２元素とは相互溶解度が１質量％以上の組み合わせであるため、上記摺動により、第１接点部１２の第１表面処理層１５と第２接点部２２の第２表面処理層２５とが凝着するとともに、第１接点部１６の第１表面処理層１５と第２接点部２６の第２表面処理層２５とが凝着する。このようにオス端子１０Ｂとメス端子２０Ｂとが凝着するため、コネクタ１Ｂによればオス端子挿入方向及びオス端子の周方向の微摺動を抑制することができる。
【００４９】
（効果）
コネクタ１Ｂによれば、第１の実施形態に係るコネクタ１Ａと同様に、オス端子挿入方向及びオス端子の周方向の微摺動を抑制することができる。また、コネクタ１Ｂは、オス端子１０Ｂの溝部１４に形成された第１接点部１６と、メス端子２０Ｂの嵌合突出部２８に形成された第２接点部２６とが嵌合しつつ、第１接点部１６の第１表面処理層１５と第２接点部２６の第２表面処理層２５とが凝着するため、第１の実施形態に係るコネクタ１Ａに比較して、端子の周方向の微摺動をより抑制することができる。
【００５０】
なお、本発明では、上記第１及び第２の実施形態に係るコネクタ１Ａ、１Ｂの変形例を用いることができる。
【００５１】
具体的には、第１の変形例として、図５〜７に示す第２の実施形態に係るコネクタ１Ｂにおいて、第１接点部１２及び第２接点部２２を形成しつつ、第１接点部１２の第１表面処理層１５及び第２接点部２２の第２表面処理層２５を形成しない構成が挙げられる。
【００５２】
第１の変形例の作用は、第１接点部１２の第１表面処理層１５と第２接点部２２の第２表面処理層２５とが凝着しない以外は、第２の実施形態に係るコネクタ１Ｂと同様である。第１の変形例によれば、第１接点部１２の第１表面処理層１５と第２接点部２２の第２表面処理層２５とを形成するコストを削減することができる。
【００５３】
また、第２の変形例として、第２の実施形態に係るコネクタ１Ｂにおいて、第１接点部１２及び第２接点部２２に代えて、第２の実施形態に係るコネクタ１Ｂの第１接点部１６及び第２接点部２６を形成する構成が挙げられる。第２の変形例では、オス端子の図５における上下方向の２か所の幅広平坦部１７にそれぞれ溝部１４が形成され、これらの溝部１４に第１接点部１６及びその第１表面処理層１５が設けられる。そして、第２の変形例のメス端子にはオス端子の２か所の第１接点部１６及びその第１表面処理層１５と嵌合しつつ摺動する第１接点部１６及びその第２接点部２６がメス端子の図５における上下方向の２か所に設けられる。
【００５４】
第２の変形例の作用は、第１接点部１２の第１表面処理層１５と第２接点部２２の第２表面処理層２５との凝着作用に代えて、図５における上下方向の２か所において、第１接点部１６の第１表面処理層１５と第２接点部２６の第２表面処理層２５との凝着作用が発現する以外は、第２の実施形態に係るコネクタ１Ｂと同様である。第２の変形例によれば、溝部１４に形成された第１接点部１６の第１表面処理層１５と第２接点部２６の第２表面処理層２５との凝着作用が図５における上下方向の２か所において発現するため、第２の実施形態に係るコネクタ１Ｂに比較して、端子の周方向の微摺動をより抑制することができる。
【符号の説明】
【００５５】
１Ａ、１Ｂ  コネクタ
１０Ａ、１０Ｂ  オス端子
１１  オス端子本体
１２、１６  第１接点部
１４  溝部
１５  第１表面処理層
１７  幅広平坦部
２０Ａ、２０Ｂ  メス端子
２１  メス端子本体
２２、２６  第２接点部
２５  第２表面処理層
２７  突出部
２８  嵌合突出部
【図１】
2017027714.tif 000003
【図２】
2017027714.tif 000004
【図３】
2017027714.tif 000005
【図４】
2017027714.tif 000006
【図５】
2017027714.tif 000007
【図６】
2017027714.tif 000008
【図７】
2017027714.tif 000009